(57)【要約】      （修正有）【課題】従来よりも、視聴場所に容易に設置することができるマルチプロジェクションシステムを提供する。【解決手段】マルチプロジェクションシステム５００は、入力された動画コンテンツに含まれる動画像データを分散処理する動画像分散部と、音声データを分散する音声分散部と、分散された動画像データを出力する動画像出力部と分散された音声データを出力する音声出力部とをそれぞれ有する複数のプロジェクタ２０１、２０２とを備える。また、動画像分散部と音声分散部とを有するアプリケーション部１００と、分散された動画像データと音声データを保存する、少なくともいずれかのプロジェクタと一体に移動できるＵＳＢ部３０１、３０２も備える。そして、上記複数のプロジェクタはそれぞれ、アプリケーション部１００からの指示に基づいて、ＵＳＢ部３０１、３０２に保存した分散された動画像データと音声データを出力する。【選択図】図５
2017229043.tif 000002
【特許請求の範囲】
【請求項１】
入力されたコンテンツデータに含まれる映像データを分散処理する映像分散部と、音声データを分散する音声分散部と、分散された映像データを出力する映像出力部と分散された音声データを出力する音声出力部とを有した複数の投写装置と、を備えたマルチプロジェクションシステムにおいて、
前記映像分散部と前記音声分散部とを有したコンテンツ分散部と、
分散された映像データと音声データを保存する、少なくともいずれかの投写装置と一体に移動できる映像・音声保存部と、を備え、
前記複数の投写装置はそれぞれ、前記コンテンツ分散部からの指示に基づいて、前記映像・音声保存部に保存した分散された映像データを前記映像出力部から、分散された音声データを前記音声出力部から出力することを特徴とするマルチプロジェクションシステム。
【請求項２】
入力されたコンテンツデータに含まれる映像データを分散処理する映像分散部と、音声データを分散する音声分散部と、分散された映像データを出力する映像出力部と分散された音声データを出力する音声出力部とを有した複数の投写装置と、を備えたマルチプロジェクションシステムにおいて、
前記映像分散部と前記音声分散部とを有したコンテンツ分散部と、
分散された映像データと音声データを保存する映像・音声保存部と、を備え、
前記複数の投写装置はそれぞれ、前記コンテンツ分散部からの指示に基づいて、前記映像・音声保存部に保存した分散された映像データを前記映像出力部から、分散された音声データを前記音声出力部から出力し、
前記複数の投写装置と、前記映像・音声保存部と、前記コンテンツ分散部との間の通信の内、少なくとも前記複数の投写装置と前記コンテンツ分散部との間の通信を無線で行うことを特徴とするマルチプロジェクションシステム。
【請求項３】
入力されたコンテンツデータに含まれる映像データを分散処理する映像分散部と、音声データを分散する音声分散部と、分散された映像データを出力する映像出力部と分散された音声データを出力する音声出力部とを有した複数の投写装置と、を備えたマルチプロジェクションシステムにおいて、
前記映像分散部と前記音声分散部とを有したコンテンツ分散部と、
分散された映像データと音声データを前記複数の投写装置毎に保存する、各投写装置と一体に移動できる複数の映像・音声保存部と、を備え、
前記複数の投写装置はそれぞれ、前記コンテンツ分散部からの指示に基づいて、前記映像・音声保存部に保存した分散された映像データを前記映像出力部から、分散された音声データを前記音声出力部から出力することを特徴とするマルチプロジェクションシステム。
【請求項４】
入力されたコンテンツデータに含まれる映像データを分散処理する映像分散部と、音声データを分散する音声分散部と、分散された映像データを出力する映像出力部と分散された音声データを出力する音声出力部とを有した複数の投写装置と、を備えたマルチプロジェクションシステムにおいて、
前記映像分散部と前記音声分散部とを有したコンテンツ分散部と、
分散された映像データと音声データを前記複数の投写装置毎に保存する複数の映像・音声保存部と、を備え、
前記複数の投写装置はそれぞれ、前記コンテンツ分散部からの指示に基づいて、前記映像・音声保存部に保存した分散された映像データを前記映像出力部から、分散された音声データを前記音声出力部から出力し、
前記複数の投写装置と、前記映像・音声保存部と、前記コンテンツ分散部との間の通信の内、少なくとも前記複数の投写装置と前記コンテンツ分散部との間の通信を無線で行うことを特徴とするマルチプロジェクションシステム。
【請求項５】
請求項１又は２に記載のマルチプロジェクションシステムにおいて、
前記映像・音声保存部は、いずれかの投写装置の内部に設けられた内部メモリに、前記分散された映像データと音声データを保存することを特徴とするマルチプロジェクションシステム。
【請求項６】
請求項３又は４に記載のマルチプロジェクションシステムにおいて、
前記映像・音声保存部は、前記複数の投写装置の内部にそれぞれ設けられた内部メモリに、前記分散された映像データと音声データを保存することを特徴とするマルチプロジェクションシステム。
【請求項７】
請求項３又は４に記載のマルチプロジェクションシステムにおいて、
前記映像・音声保存部は、前記複数の投写装置のそれぞれに接続される外部記憶装置に、前記分散された映像データと音声データを保存することを特徴とするマルチプロジェクションシステム。
【請求項８】
請求項７に記載のマルチプロジェクションシステムにおいて、
前記外部記憶装置が、各投写装置にＵＳＢ接続されるＵＳＢメモリであることを特徴とするマルチプロジェクションシステム。
【請求項９】
請求項６乃至８のいずれか一に記載のマルチプロジェクションシステムにおいて、
前記分散された映像データをそれぞれ投写する各投写装置の位置を、各投写装置に割り振られるＩＰアドレスに関連付け、
ＩＰアドレスから各投写装置の位置を検索し、各投写装置毎に対応する前記分散された映像データと音声データを各映像・音声保存部に保存することを特徴とするマルチプロジェクションシステム。
【請求項１０】
請求項３、４、６乃至９のいずれか一に記載のマルチプロジェクションシステムにおいて、
前記投写装置の直接操作により、
前記映像・音声保存部に保存した分散された映像データと音声データを、映像出力部と音声出力部から出力できることを特徴とするマルチプロジェクションシステム。
【発明の詳細な説明】
【技術分野】
【０００１】
本発明は、マルチプロダクションシステムに関するものである。
【背景技術】
【０００２】
複数のプロジェクタ等の投写装置を使用して、一つのスクリーンに静止画や動画等の映像コンテンツを投写するマルチプロジェクションシステムという技術が従来から知られている。また、このようなマルチプロジェクションシステムでは、複数の投写装置を使用した映像の投写だけでなく、ステレオ音声データ等の音声データを同時に再生することができるものも知られている。
そして、投写装置を複数台使用することで、所定の視聴位置におけるステレオ音声等の音場の乱れを防ぐための技術が知られている。
例えば、特許文献１には、入力されたコンテンツデータに含まれる映像データを複数の投写装置（プロジェクタ）で投写しつつ音声データ（ステレオ音声データ）を再生するときの、所定の視聴位置における音場の乱れを防ぐ、次のようなマルチプロジェクションシステムが記載されている。
【０００３】
映像コンテンツ出力機器から入力した、映像データに加工を施して複数の投写装置に分配する分散処理を行う映像分散部と、音声データに加工を施さずに複数の投写装置に分配する分配処理を行う音声分配部とを有した画像音声データ分配装置と、複数の投写装置とを備えている。
各投写装置には、次のようなものを有している。
映像分散部で分散処理が施された（以下、単に分散されたという。）映像データを入力する映像入力部と、音声分配部で分配された音声データを入力する音声入力部と、入力された音声データに加工を施す音声加工部を有している。ここで、画像音声データ分配装置の音声分配部と、各投写装置に有した音声加工部との機能により、映像コンテンツ出力機器から入力した、音声データに加工を施して分配する音声分散部の機能が実現される。
また、映像入力部で入力した分散された映像データを出力する映像出力部と、音声分散部で分散処理が施された（以下、単に分散されたという。）音声データを出力する音声出力部も有している。
【０００４】
そして、各投写装置は、それぞれの位置情報に応じて、入力した分散された映像データを映像出力部で投写するとともに、入力された音声データの右側音声信号及び左側音声信号の出力ＯＮ／ＯＦＦを個別に設定する加工を施してから、音声出力部から出力する。
このように各投写装置の位置情報に応じて、入力された音声データの右側音声信号及び左側音声信号の出力ＯＮ／ＯＦＦを個別に設定することで、特許文献１には、所定の視聴位置で音場が乱れるのを抑制できる旨、記載されている。
また、このように所定の視聴位置で音場が乱れるのを抑制できる結果として、所定の視聴位置にステレオ効果のある音場を形成でき、その視聴位置にいる視聴者に臨場感のある音声を聴かせることができる旨、記載されている。
【発明の概要】
【発明が解決しようとする課題】
【０００５】
しかし、視聴位置によって入力されたステレオ音声データにおける右側音声信号及び左側音声信号の出力ＯＮ／ＯＦＦを、ブロジェクタ毎に個別に設定する従来のマルチプロダクションシステムには、次のような課題があった。
従来の構成では、通常、映像コンテンツ出力機器や分配装置は、視聴条件を満たす所定位置に個々に設置する複数の投写装置とは別に、電源経路や複数の投写装置への配線経路を確保できるとともに、視聴者による視聴を妨げない位置に個別に配置される。
このため、視聴条件を満たす所定位置に個々に設置する複数の投写装置の設置位置に加えて、映像コンテンツ出力機器と分配装置の設置位置も個々に検討する必要があり、マルチプロジェクションシステムを容易に設置することが困難であるという課題である。
【課題を解決するための手段】
【０００６】
上述した課題を解決するために、請求項１に記載の発明は、入力されたコンテンツデータに含まれる映像データを分散処理する映像分散部と、音声データを分散する音声分散部と、分散された映像データを出力する映像出力部と分散された音声データを出力する音声出力部とを有した複数の投写装置と、を備えたマルチプロジェクションシステムにおいて、前記映像分散部と前記音声分散部とを有したコンテンツ分散部と、分散された映像データと音声データを保存する、少なくともいずれかの投写装置と一体に移動できる映像・音声保存部と、を備え、前記複数の投写装置はそれぞれ、前記コンテンツ分散部からの指示に基づいて、前記映像・音声保存部に保存した分散された映像データを前記映像出力部から、分散された音声データを前記音声出力部から出力することを特徴とする。
【発明の効果】
【０００７】
本発明によれば、従来よりも、視聴場所に容易に設置することができるマルチプロジェクションシステムを提供できる。
【図面の簡単な説明】
【０００８】
【図１】一実施形態に係るマルチプロジェクションシステムの概略説明図。
【図２】アプリケーション部のマルチプロジェクションシステムに係る主な処理のブロック構成説明図。
【図３】プロジェクタ部のマルチプロジェクションシステムに係る主な処理のブロック構成説明図。
【図４】ＵＳＢ部のマルチプロジェクションシステムに係る主な処理のブロック構成説明図。
【図５】具体例１のマルチプロジェクションシステムで２台のプロジェクタを用いた場合のシステム構成の説明図。
【図６】具体例２のマルチプロジェクションシステムで３台のプロジェクタを用いた場合のシステム構成の説明図。
【図７】具体例１、２の構成で行う、マルチプロジェクションシステムの基本的な処理フローの説明図。
【図８】コンテンツ保存処理とコンテンツ出力処理の処理フロー１についての説明図。
【図９】具体例３のマルチプロジェクションシステムで３台のプロジェクタを用いた場合のシステム構成の説明図。
【図１０】コンテンツ保存処理とコンテンツ出力処理の処理フロー２についての説明図。
【発明を実施するための形態】
【０００９】
以下、本発明を適用したマルチプロジェクションシステムである、マルチプロジェクションシステム５００の一実施形態について説明する。
ここで、本実施形態のマルチプロジェクションシステム５００は、次の点が最大の特徴になっている。マルチプロジェクションに係る処理において、各機器のネットワーク通信を無線で行うことで、投写装置で再生（出力）する分散されたコンテンツを供給するコンテンツ分散部として機能するアプリケーション部の通信を容易に行えることである。
【００１０】
まず、マルチプロジェクションシステム５００の概要から、図を用いて説明する。
図１は、本実施形態に係るマルチプロジェクションシステム５００の概略説明図であり、図１（ａ）が、ブロック機能説明図、図１（ｂ）が、使用機器イメージ説明図である。
【００１１】
本実施形態のマルチプロジェクションシステム５００は、図１（ａ）、図（ｂ）に示すように、コンテンツ分散部として機能するアプリケーション部１００、投写装置としてのプロジェクタ部２００、映像・音声保存部としてのＵＳＢ部３００から構成される。
アプリケーション部１００は、スマートフォン・タブレット・ＰＣ等の通信端末にインストールされたアプリケーションソフトから構成され、プロジェクタ部２００と無線で通信を行い、動画コンテンツをプロジェクタ部２００に再生させる。
プロジェクタ部２００は、アプリケーション部１００から受信した動画コンテンツの再生を、アプリケーション部１００の指示に基づいて行う。
ＵＳＢ部３００は、プロジェクタ部２００に接続されており、アプリケーション部１００から受信した動画コンテンツの再生が通信の乱れに影響されないようにコンテンツの保存を行う。
ここで、動画コンテンツを保存する外部記憶装置はＵＳＢ部３００のようなＵＳＢメモリでなくても良い。
【００１２】
次に、アプリケーション部１００、プロジェクタ部２００、及びＵＳＢ部３００のマルチプロジェクションシステム５００に係る処理について、個々に説明する。
図２は、アプリケーション部１００のマルチプロジェクションシステム５００に係る主な処理のブロック構成説明図である。
図２に示すように、アプリケーション部１００のマルチプロジェクションに係る主な処理は、ネットワーク設定部１１０、プロジェクタ設定部１２０、キャリブレーション部１３０、音声入力部１４０、動画像入力部１５０、音声分散部１６０、動画像分散部１７０から構成される。
ネットワーク設定部１１０では、使用するプロジェクタと同じネットワークに接続し、プロジェクタ設定部１２０では、プロジェクタの位置をＩＰアドレスの指定により設定する。
キャリブレーション部１３０では、対象となる複数のプロジェクタの位置を決定するために画像を出力し、キャリブレーションを行う。
【００１３】
音声入力部１４０と動画像入力部１５０では、マルチプロジェクションシステム５００で使用する動画コンテンツに含まれる音声データと映像データの入力を行う。なお、入力される動画像データには動画像だけではなく、静止画も含む。
音声分散部１６０と動画像分散部１７０では、使用するプロジェクタ部２００の位置により、音声データと映像データを切り分けて、分散させる。
【００１４】
図３は、プロジェクタ部２００のマルチプロジェクションシステム５００に係る主な処理のブロック構成説明図である。
図３に示すように、プロジェクタ部２００のマルチプロジェクションに係る主な処理は、ネットワーク設定部２１０、プロジェクタ設定部２２０、画像投写部２３０、音声入力部２４０、動画像入力部２５０、音声出力部２６０、動画像出力部２７０から構成される。
ネットワーク設定部２１０では、アプリケーション部１００と同じネットワークに接続し、プロジェクタ設定部２２０では、プロジェクタ部２００の位置（プロジェクタ部２００による投写位置）とＩＰアドレスの振分け設定（ＩＰアドレスと位置の関連付け）を行う。
画像投写部２３０では、プロジェクタ部２００におけるキャリブレーションで使用するための画像投写を行う。
【００１５】
音声入力部２４０と動画像入力部２５０では、アプリケーション部１００によって分散され、ＵＳＢ部３００へ送られた音声データと動画像データの入力を行う。そして、音声出力部２６０と動画像出力部２７０ではアプリケーション部１００から指定された動画コンテンツの再生を行う。
【００１６】
図４は、ＵＳＢ部３００のマルチプロジェクションシステム５００に係る主な処理のブロック構成説明図である。
図４に示すように、ＵＳＢ部３００のマルチプロジェクションに係る主な処理は、音声入力部３１０、動画像入力部３２０、音声保存部３３０、動画像保存部３４０、音声出力部３５０、動画像出力部３６０から構成される。
音声入力部３１０と動画像入力部３２０では、アプリケーション部１００によって分散された音声データと動画像データの入力を行い、音声保存部３３０と動画像保存部３４０では、ＵＳＢ部３００内の記憶部（メモリ）に音声データと動画像データを保存する。
そして、アプリケーション部１００からプロジェクタ部２００への指示に応じて、音声出力部３５０と動画像出力部３６０では、アプリケーション部１００から指定されたコンテンツに対し、プロジェクタ部２００への出力を行う。
【００１７】
次に、マルチプロジェクションシステム５００の構成について、複数の具体例を挙げ、より具体的に説明する。
（具体例１）
図５は、本具体例のマルチプロジェクションシステム５００で２台のプロジェクタを用いた場合のシステム構成の説明図である。
図５に示すように、プロジェクタを２台使用する場合の構成は、アプリケーション部１００、第一プロジェクタ２０１と第二プロジェクタ２０２、第一スピーカー２６１ａと第二スピーカー２６２ａ、第一ＵＳＢ３０１と第二ＵＳＢ３０２からなる。
アプリケーション部１００により、動画コンテンツを選択し、それぞれのプロジェクタに接続した第一ＵＳＢ３０１と第二ＵＳＢ３０２へ、分散したコンテンツ入力信号を送る。アプリケーション部１００から送られたコンテンツが各プロジェクタ上のＵＳＢに保存されると、アプリケーション部１００より、コンテンツの投写開始信号が送られる。
【００１８】
停止するときも、同様にアプリケーション部１００により、コンテンツの投写停止信号が送られる。
第一スピーカー２６１ａからはコンテンツが保存されている第一ＵＳＢ３０１内のステレオ処理により分散された左側用音声が再生（出力）され、第二スピーカー２６２ａからは第二ＵＳＢ３０２内の右側用音声が再生される。
【００１９】
（具体例２）
図６は、本具体例のマルチプロジェクションシステム５００で３台のプロジェクタ部２００を用いた場合のシステム構成の説明図である。
図６に示すように、本具体例のマルチプロジェクションシステム５００で、プロジェクタ部２００を３台使用する場合の構成は、次のものからなる。
アプリケーション部１００、第一プロジェクタ２０１、第二プロジェクタ２０２、第三プロジェクタ２０３、第一スピーカー２６１ａ、第二スピーカー２６２ａ、第三スピーカー２６３ａ、第一ＵＳＢ３０１、第二ＵＳＢ３０２、第三ＵＳＢ３０３である。
【００２０】
アプリケーション部１００により、動画コンテンツを選択し、それぞれのプロジェクタ部２００に接続した第一ＵＳＢ３０１と第二ＵＳＢ３０２と第三ＵＳＢ３０３へ、分散したコンテンツ入力信号を送る。
アプリケーション部１００から送られたコンテンツが各プロジェクタ上のＵＳＢ部３００に保存されると、アプリケーション部１００より、コンテンツの投写開始信号が送られる。
また、停止するときも、同様にアプリケーション部１００より、コンテンツの投写停止信号が送られる。
【００２１】
そして、第一スピーカー２６１ａからはコンテンツが保存されている第一ＵＳＢ３０１内のステレオ処理により分散された左側用音声が再生（出力）され、第二スピーカー２６２ａからは第二ＵＳＢ３０２内の右側用音声・左側用音声の両方が再生される。また、第三スピーカー２６３ａからは第三ＵＳＢ３０３内のステレオ処理により分散された右側用音声が再生される。
ここで、プロジェクタ部２００の使用台数が奇数の場合、中央にくる第二プロジェクタ２０２からの音声出力は右側用音声と左側用音声の両方が再生されても良いし、両方再生さなくても良い。
【００２２】
次に、上述した具体例１、２の構成で行う、マルチプロジェクションシステム５００の基本的な処理フロー（処理の流れ）の一例について説明する。
（基本フロー）
図７は、具体例１、２の構成で行う、マルチプロジェクションシステム５００の基本的な処理フローの説明図である。
図７に示すように、マルチプロジェクションによる投写を開始するときには、まず、プロジェクタ部２００とアプリケーション部１００を同じネットワークに接続させるためにネットワーク設定処理を行う（Ｓ４００）。
次に、アプリケーション部１００上から使用するプロジェクタ部２００を設定し、その位置の確認するプロジェクタ設定処理（分散された動画像データをそれぞれ投写するプロジェクタの位置を、プロジェクタに割り振られるＩＰアドレスに関連付ける処理）を行う（Ｓ４１０）。
【００２３】
その後、各プロジェクタ部２００で、校正画像を使用してキャリブレーション処理を行い（Ｓ４２０）、アプリケーション部１００に、各プロジェクタ部２００で投写させる動画コンテンツの入力処理を行う（Ｓ４３０）。
次に、動画コンテンツを使用するプロジェクタ部２００の数だけ、アプリケーション部１００で音声データと動画像データを分散するコンテンツ分散処理を行い（Ｓ４４０）、分散したコンテンツを各ＵＳＢ部３００に保存するコンテンツ保存処理を行う（Ｓ４５０）。ここで、コンテンツを保存する外部記憶装置は、ＵＳＢ部３００等の外部メモリに限らず、他の接続方式や、他の形式の記憶装置ものであっても良い。
その後、各ＵＳＢに保存したコンテンツの出力（再生）を行うコンテンツ出力処理を行い（Ｓ４６０）、マルチプロジェクションの投写を行う。
【００２４】
（処理フロー１）
次に、コンテンツ保存処理（Ｓ４５０）と、コンテンツ出力処理（Ｓ４６０）の処理フローの一例である処理フロー１について、プロジェクタ部２００を３台使用する場合を例に挙げ、より詳しく説明する。
図８は、コンテンツ保存処理とコンテンツ出力処理の処理フロー１についての説明図である。
本処理フローのコンテンツ保存処理では、分散したコンテンツを全て各ＵＳＢ部３００に保存する（Ｓ４５０）。
ここで、上述したように、コンテンツを保存するコンテンツを保存する外部記憶装置は、ＵＳＢ部３００等の外部メモリに限らず、他の接続方式や、他の形式の記憶装置ものであっても良い。
【００２５】
次に、アプリケーション部１００により、３台のプロジェクタ部２００の位置をＩＰアドレスから検索し（Ｓ４６１）、検索したプロジェクタ部２００が左側であるか否かに判断を行う（Ｓ４６２）。この判断で、検索したプロジェクタ部２００が左側である場合には（Ｓ４６２のＹＥＳ）、そのプロジェクタ部２００に左側用コンテンツを出力する左側用コンテンツ出力処理を行わせる（Ｓ４６４）。
一方、上記判断（Ｓ４６２）で、検索したプロジェクタ部２００が左側でない場合には（Ｓ４６２のＮＯ）、検索したプロジェクタ部２００が中央であるか否かに判断を行う（Ｓ４６３）。この判断で、検索したプロジェクタ部２００が中央である場合には（Ｓ４６３のＹＥＳ）、そのプロジェクタ部２００に中央用コンテンツを出力する中央用コンテンツ出力処理を行わせる（Ｓ４６５）。
【００２６】
一方、検索したプロジェクタ部２００が中央であるか否かに判断で（Ｓ４６３）、検索したプロジェクタ部２００が中央でない場合には（Ｓ４６３のＮＯ）、そのプロジェクタ部２００に右側用コンテンツを出力する右側用コンテンツ出力処理を行わせる（Ｓ４６６）。
ここで、各プロジェクタ部２００の位置検索はＩＰアドレスを使用する方法でなくてもよく、中央用コンテンツの音声については右側用音声と左側用音声の両方を出力して（流して）も良いし、両方出力し（流さ）なくても良い。
【００２７】
（具体例３）
図９は、本具体例のマルチプロジェクションシステム５００で３台のプロジェクタ部２００を用いた場合のシステム構成の説明図である。
図９に示すように、本具体例のマルチプロジェクションシステム５００で、プロジェクタ部２００を３台使用する場合の構成は、次のものからなる。
アプリケーション部１００、第一プロジェクタ２０１、第二プロジェクタ２０２、第三プロジェクタ２０３、第一スピーカー２６１ａ、第二スピーカー２６２ａ、第三スピーカー２６３ａ、第一ＵＳＢ３０１、第二ＵＳＢ３０２、第三ＵＳＢ３０３である。
【００２８】
アプリケーション部１００により、動画コンテンツを選択し、それぞれのプロジェクタ部２００に接続した第一ＵＳＢ３０１と第二ＵＳＢ３０２と第三ＵＳＢ３０３へ、分散したコンテンツ入力信号を送る。アプリケーション部１００から送られたコンテンツが各プロジェクタ上のＵＳＢ部３００に保存されると、アプリケーション部１００より、コンテンツの投写開始信号が送られる。
【００２９】
このとき、左側に設置されている第一プロジェクタ２０１上の（に接続されている）第一ＵＳＢ３０１にはステレオ処理により分散された左側用コンテンツが保存される。また、中央に設置されている第二プロジェクタ２０２上の第二ＵＳＢ３０２にはステレオ処理により分散された中央用コンテンツが保存される。そして、右側に設置されている第三プロジェクタ２０３上の第三ＵＳＢ３０３にはステレオ処理により分散された右側用コンテンツが保存される。
ここで、上述したように、コンテンツを保存する外部記憶装置は、ＵＳＢ部３００等の外部メモリに限らず、他の接続方式や、他の形式の記憶装置ものであっても良い。
【００３０】
そして、各コンテンツが各プロジェクタ部２００上のＵＳＢ部３００に保存されると、アプリケーション部１００より、コンテンツの投写開始信号が送られる。
停止するときにも、同様にアプリケーション部１００より、コンテンツの投写停止信号が送られる。
そして、第一スピーカー２６１ａからは左側用コンテンツが保存されているＵＳＢ部３００１内の左側用音声が再生（出力）され、第二スピーカー２６２ａからは中央用コンテンツが保存されている第二ＵＳＢ３０２内の中央用音声が再生される。また、第三スピーカー２６３ａからは右側用コンテンツが保存されている第三ＵＳＢ３０３内の右側用音声が再生される。
ここで、プロジェクタ部２００の使用台数が奇数の場合、中央にくる第二プロジェクタ２０２からの音声出力は右側用音声と左側用音声の両方が再生されても良いし、両方再生されなくても良い。
【００３１】
（処理フロー２）
次に、本具体例の構成で行う、コンテンツ保存処理（Ｓ４５０）と、コンテンツ出力処理（Ｓ４６０）の処理フローの一例である処理フロー１について、プロジェクタ部２００を３台使用する場合を例に挙げ、より詳しく説明する。
ここで、マルチプロジェクションシステム５００の基本的な処理フローは、上述した具体例１、２の処理フローと同様な処理フローを用いることができるので、その説明については、省略する。
図１０は、コンテンツ保存処理とコンテンツ出力処理の処理フロー２についての説明図である。
【００３２】
図８に示した具体例１、２の構成で行う、コンテンツ保存処理（Ｓ４５０）と、コンテンツ出力処理（Ｓ４６０）の処理フローでは、各ＵＳＢ部３００に分散後コンテンツを全て保存し、出力時にコンテンツを検索していた。
これに対し、本具体例の処理フロー２では、図１０に示すように、分散後コンテンツをプロジェクタ毎にそれぞれに対応するＵＳＢ部３００に保存しておく点が異なる。
ここで、上述したように、コンテンツを保存する外部記憶装置は、ＵＳＢ部３００等の外部メモリに限らず、他の接続方式や、他の形式の記憶装置ものであっても良い。
【００３３】
具体的には、本処理フローでは、分散したコンテンツを、各ＵＳＢ部３００に保存するときに、まず、アプリケーション部１００により３台のプロジェクタ部２００の位置を、関連付けたＩＰアドレスから検索するプロジェクタ位置検索を行う（Ｓ４５１）。
そして、プロジェクタ位置検索の検索結果から検索したプロジェクタ部２００が左側であるか否かに判断を行う（Ｓ４５２）。この判断で、検索したプロジェクタ部２００が左側である場合には（Ｓ４５２のＹＥＳ）、そのプロジェクタ部２００上のＵＳＢ部３００に左側用コンテンツを保存する左側用コンテンツ保存処理を行う（Ｓ４５４）。その後、左側であると判断されたプロジェクタ部２００に左側用コンテンツを出力する左側用コンテンツ出力処理を行わせる（Ｓ４６４）。
一方、上記判断（Ｓ４５２）で、検索したプロジェクタ部２００が左側でない場合には（Ｓ４５２のＮＯ）、検索したプロジェクタ部２００が中央であるか否かに判断を行う（Ｓ４５３）。この判断で、検索したプロジェクタ部２００が中央である場合には（Ｓ４５３のＹＥＳ）、そのプロジェクタ部２００上のＵＳＢ部３００に中央用コンテンツを保存する中央用コンテンツ保存処理を行う（Ｓ４５５）。その後、中央であると判断されたプロジェクタ部２００に中央用コンテンツを出力する中央用コンテンツ出力処理を行わせる（Ｓ４６５）。
【００３４】
一方、検索したプロジェクタ部２００が中央であるか否かに判断で（Ｓ４５３）、検索したプロジェクタ部２００が中央でない場合には（Ｓ４５３のＮＯ）、そのプロジェクタ部２００に右側用コンテンツ上のＵＳＢ部３００に右側用コンテンツを保存する右側用コンテンツ保存処理を行う（Ｓ４５６）。その後、右側であると判断されたプロジェクタ部２００に右側用コンテンツを出力する右側用コンテンツ出力処理を行わせる（Ｓ４６６）。
ここで、各プロジェクタ部２００の位置検索はＩＰアドレスを使用する方法でなくてもよく、中央用コンテンツの音声については右側用音声と左側用音声の両方を出力して（流して）も良いし、両方出力し（流さ）なくても良い。
【００３５】
以上、本実施形態について、図面を参照しながら説明してきたが、具体的な構成は、上述した本実施形態のマルチプロジェクションシステム５００の構成に限られるものではなく、要旨を逸脱しない範囲の設計の変更等を行っても良い。
【００３６】
以上に説明したものは一例であり、次の態様毎に特有の効果を奏する。
（態様Ａ）
入力された動画コンテンツなどのコンテンツデータに含まれる動画像データなどの映像データを分散処理する動画像分散部１７０などの映像分散部と、音声データを分散する音声分散部１６０などの音声分散部と、分散された映像データを出力する動画像出力部２７０などの映像出力部と分散された音声データを出力する音声出力部２６０などの音声出力部とを有した複数のプロジェクタ部２００などの投写装置と、を備えたマルチプロジェクションシステム５００などのマルチプロジェクションシステムにおいて、前記映像分散部と前記音声分散部とを有したアプリケーション部１００などのコンテンツ分散部と、分散された映像データと音声データを保存する、少なくともいずれかの投写装置と一体に移動できるＵＳＢ部３００（音声保存部３３０、動画像保存部３４０）などの映像・音声保存部と、を備え、前記複数の投写装置はそれぞれ、前記コンテンツ分散部からの指示に基づいて、前記映像・音声保存部に保存した分散された映像データを前記映像出力部から、分散された音声データを前記音声出力部から出力することを特徴とする。
【００３７】
これによれば、本実施形態で説明したように、次のような効果を奏することができる。
従来の構成では、視聴条件を満たす所定位置に個々に設置する複数の投写装置の設置位置に加えて、映像コンテンツ出力機器と分配装置の設置位置も個々に検討する必要があり、マルチプロジェクションシステムを容易に設置することが困難であった。
一方、本態様の構成では、従来の構成で、画像音声データ分配装置に有した音声分配部で実現される機能を、コンテンツ分散部に有した映像分散部で実現できる。そして、音声データに関して、画像音声データ分配装置に有した音声分配部と、各投写装置に有した音声加工部の機能で実現される機能をコンテンツ分散部に有した音声分散部で実現できる。
そして、映像コンテンツ出力機器から入力したコンテンツデータ（映像データ、音声データ）をコンテンツ分散部で分散して映像・音声保存部に予め保存できる。このように予め保存することで、視聴場所に映像コンテンツ出力機器を配置しなくても、映像・音声保存部に保存した分散されたコンテンツデータを複数の投写装置で再生（出力）することができる。
【００３８】
加えて、映像・音声保存部は、少なくともいずれかの投写装置と一体に移動できるものであり、その設置位置を検討する必要がない。
これらのため、視聴条件を満たす所定位置に設置する複数の投写装置の設置位置に加えて、分散されたコンテンツを再生するときに視聴場所での設置位置を検討する必要がある機器の数を、従来、必要だった映像コンテンツ出力機器の設置位置の検討を不要とすることで、コンテンツ分散部を設けた機器の１つだけにできる。
したがって、視聴条件を満たす所定位置に設置する複数の投写装置の設置位置に加えて、映像コンテンツ出力機器と分配装置の２つの機器の設置位置も個々に検討する必要がある従来の構成よりも、視聴場所での設置位置を検討する必要がある機器の数を減らせる。
よって、従来よりも、視聴場所に容易に設置することができるマルチプロジェクションシステムを提供できる。
【００３９】
（態様Ｂ）
入力された動画コンテンツなどのコンテンツデータに含まれる動画像データなどの映像データを分散処理する動画像分散部１７０などの映像分散部と、音声データを分散する音声分散部１６０などの音声分散部と、分散された映像データを出力する動画像出力部２７０などの映像出力部と分散された音声データを出力する音声出力部２６０などの音声出力部とを有した複数のプロジェクタ部２００などの投写装置と、を備えたマルチプロジェクションシステム５００などのマルチプロジェクションシステムにおいて、前記映像分散部と前記音声分散部とを有したアプリケーション部１００などのコンテンツ分散部と、分散された映像データと音声データを保存するＵＳＢ部３００（音声保存部３３０、動画像保存部３４０）などの映像・音声保存部と、を備え、前記複数の投写装置はそれぞれ、前記コンテンツ分散部からの指示に基づいて、前記映像・音声保存部に保存した分散された映像データを前記映像出力部から、分散された音声データを前記音声出力部から出力し、前記複数の投写装置と、前記映像・音声保存部と、前記コンテンツ分散部との間の通信の内、少なくとも前記複数の投写装置と前記コンテンツ分散部との間の通信を無線で行うことを特徴とする。
【００４０】
これによれば、本実施形態で説明したように、次のような効果を奏することができる。
従来の構成では、（態様Ａ）で説明したように、マルチプロジェクションシステムを容易に設置することが困難であった。
一方、本態様の構成では、（態様Ａ）と同様な理由により、視聴場所に映像コンテンツ出力機器を配置しなくても、映像・音声保存部に保存した分散されたコンテンツデータを複数の投写装置で再生することができる。
また、映像コンテンツ出力機器から入力されたコンテンツデータを保存する映像・音声保存部を、映像・音声保存部を設けた機器と、いずれかの投写装置とを一体に移動可能なように構成することが容易であり、その設置位置を検討する必要がない。
【００４１】
加えて、複数の投写装置と、映像・音声保存部と、コンテンツ分散部との間の通信の内、少なくとも複数の投写装置とコンテンツ分散部との間の通信を無線で行うことができる。このため、コンテンツ分散部を設けた機器の設置場所については、視聴者による視聴を妨げない、無線通信を行う機器の通信が可能な位置であればいずれの位置にも設置（配置）でき、熟慮した検討は必要としない。
【００４２】
これらのため、視聴条件を満たす所定位置に設置する複数の投写装置の設置位置に加えて、分散されたコンテンツを再生するときに視聴場所での設置位置を検討する必要がある機器の数を、コンテンツ分散部を設けた機器の１つだけにできる。
したがって、視聴条件を満たす所定位置に設置する複数の投写装置の設置位置に加えて、映像コンテンツ出力機器と分配装置の２つの機器の設置位置も個々に検討する必要がある従来の構成よりも、視聴場所での設置位置を検討する必要がある機器の数を減らせる。
加えて、コンテンツ分散部を設けた機器の設置場所については、熟慮した検討は必要としない。
よって、従来よりも、視聴場所に容易に設置することができるマルチプロジェクションシステムを提供できる。
【００４３】
（態様Ｃ）
入力された動画コンテンツなどのコンテンツデータに含まれる動画像データなどの映像データを分散処理する動画像分散部１７０などの映像分散部と、音声データを分散する音声分散部１６０などの音声分散部と、分散された映像データを出力する動画像出力部２７０などの映像出力部と分散された音声データを出力する音声出力部２６０などの音声出力部とを有した複数のプロジェクタ部２００などの投写装置と、を備えたマルチプロジェクションシステム５００などのマルチプロジェクションシステムにおいて、前記映像分散部と前記音声分散部とを有したアプリケーション部１００などのコンテンツ分散部と、分散された映像データと音声データを前記複数の投写装置毎に保存する、各投写装置と一体に移動できる複数のＵＳＢ部３００（音声保存部３３０、動画像保存部３４０）などの映像・音声保存部と、を備え、前記複数の投写装置はそれぞれ、前記コンテンツ分散部からの指示に基づいて、前記映像・音声保存部に保存した分散された映像データを前記映像出力部から、分散された音声データを前記音声出力部から出力することを特徴とする。
【００４４】
これによれば、本実施形態で説明したように、次のような効果を奏することができる。
従来の構成では、（態様Ａ）で説明したように、マルチプロジェクションシステムを容易に設置することが困難であった。
一方、本態様の構成では、（態様Ａ）と同様な理由により、予め、映像コンテンツ出力機器から入力されたコンテンツデータをコンテンツ分散部で分散して各映像・音声保存部に保存できる。このため、視聴場所に映像コンテンツ出力機器を配置しなくても、各映像・音声保存部に保存した分散されたコンテンツデータを複数の投写装置で再生することができる。
加えて、映像・音声保存部は、各投写装置と一体に移動できるものであり、その設置位置を検討する必要がない。
【００４５】
これらのため、視聴条件を満たす所定位置に設置する複数の投写装置の設置位置に加えて、分散されたコンテンツを再生するときに視聴場所での設置位置を検討する必要がある機器の数を、コンテンツ分散部を設けた機器の１つだけにできる。
したがって、視聴条件を満たす所定位置に設置する複数の投写装置の設置位置に加えて、映像コンテンツ出力機器と分配装置の２つの機器の設置位置も個々に検討する必要がある従来の構成よりも、視聴場所での設置位置を検討する必要がある機器の数を減らせる。
よって、従来よりも、視聴場所に容易に設置することができるマルチプロジェクションシステムを提供できる。
【００４６】
（態様Ｄ）
入力された動画コンテンツなどのコンテンツデータに含まれる動画像データなどの映像データを分散処理する動画像分散部１７０などの映像分散部と、音声データを分散する音声分散部１６０などの音声分散部と、分散された映像データを出力する動画像出力部２７０などの映像出力部と分散された音声データを出力する音声出力部２６０などの音声出力部とを有した複数のプロジェクタ部２００などの投写装置と、を備えたマルチプロジェクションシステム５００などのマルチプロジェクションシステムにおいて、前記映像分散部と前記音声分散部とを有したアプリケーション部１００などのコンテンツ分散部と、分散された映像データと音声データを前記複数の投写装置毎に保存する複数のＵＳＢ部３００（音声保存部３３０、動画像保存部３４０）などの映像・音声保存部と、を備え、前記複数の投写装置はそれぞれ、前記コンテンツ分散部からの指示に基づいて、前記映像・音声保存部に保存した分散された映像データを前記映像出力部から、分散された音声データを前記音声出力部から出力し、前記複数の投写装置と、前記映像・音声保存部と、前記コンテンツ分散部との間の通信の内、少なくとも前記複数の投写装置と前記コンテンツ分散部との間の通信を無線で行うことを特徴とするマルチプロジェクションシステム。
【００４７】
これによれば、本実施形態で説明したように、次のような効果を奏することができる。
従来の構成では、（態様Ａ）で説明したように、マルチプロジェクションシステムを容易に設置することが困難であった。
一方、本態様の構成では、（態様Ａ）と同様な理由により、視聴場所に映像コンテンツ出力機器を配置しなくても、各映像・音声保存部に保存した分散されたコンテンツデータを、それぞれの映像・音声保存部に対応する投写装置で再生することができる。
また、（態様Ｂ）と同様な理由により、映像コンテンツ出力機器から入力されたコンテンツデータを保存する各映像・音声保存部の設置位置を検討する必要がない。
加えて、（態様Ｂ）と同様な理由により、コンテンツ分散部を設けた機器の設置場所については、視聴者による視聴を妨げない、無線通信を行う機器の通信が可能な位置であればいずれの位置にも設置（配置）でき、熟慮した検討は必要としない。
【００４８】
これらのため、視聴条件を満たす所定位置に設置する複数の投写装置の設置位置に加えて、分散されたコンテンツを再生するときに視聴場所での設置位置を検討する必要がある機器の数を、コンテンツ分散部を設けた機器の１つだけにできる。
したがって、視聴条件を満たす所定位置に設置する複数の投写装置の設置位置に加えて、映像コンテンツ出力機器と分配装置の２つの機器の設置位置も個々に検討する必要がある従来の構成よりも視聴場所での設置位置を検討する必要がある機器の数を減らせる。
加えて、コンテンツ分散部を設けた機器の設置場所については、熟慮した検討は必要としない。
よって、従来よりも、視聴場所に容易に設置することができるマルチプロジェクションシステムを提供できる。
【００４９】
（態様Ｅ）
（態様Ａ）又は（態様Ｂ）において、前記映像・音声保存部は、いずれかの投写装置の内部に設けられた内部メモリに、前記分散された映像データと音声データを保存することを特徴とする。
これによれば、本実施形態で説明したように、分散後のコンテンツを、いずれかの投写装置の内部メモリに保存することで、必要となる機器（保存媒体）を減らすことができる。
【００５０】
（態様Ｆ）
（態様Ｃ）又は（態様Ｄ）において、前記映像・音声保存部は、前記複数の投写装置の内部にそれぞれ設けられた内部メモリに、前記分散された映像データと音声データを保存することを特徴とする。
これによれば、本実施形態で説明したように、分散後のコンテンツを内部メモリに保存することで、必要となる機器（保存媒体）を減らすことができる。
【００５１】
（態様Ｇ）
（態様Ｃ）又は（態様Ｄ）において、前記映像・音声保存部は、前記複数の投写装置のそれぞれに接続されるＵＳＢ部３００などの外部記憶装置に、前記分散された映像データと音声データを保存することを特徴とする。
これによれば、本実施形態で説明したように、各投写装置の内部メモリの消費量を減らすことができる。
【００５２】
（態様Ｈ）
（態様Ｇ）において、前記外部記憶装置が、各投写装置にＵＳＢ接続されるＵＳＢメモリであることを特徴とする。
これによれば、本実施形態で説明したように、外部記憶装置であるＵＳＢ部３００などのＵＳＢメモリを、容易に各投写装置に保持させることができる。
【００５３】
（態様Ｉ）
（態様Ｆ）乃至（態様Ｈ）のいずれかにおいて、前記分散された映像データをそれぞれ投写する各投写装置の位置を、各投写装置に割り振られるＩＰアドレスに関連付け、ＩＰアドレスから各投写装置の位置を検索し、各投写装置毎に対応する前記分散された映像データと音声データを各映像・音声保存部に保存することを特徴とする。
これによれば、本実施形態で説明したように、各投写装置に設けた映像・音声保存部のそれぞれに、必要な分散された映像データと音声データのみを保存することで、消費する記憶容量を削減することができる。
【００５４】
（態様Ｊ）
（態様Ｃ）、（態様Ｄ）、（態様Ｆ）乃至（態様Ｉ）のいずれかにおいて、前記投写装置の直接操作により、前記映像・音声保存部に保存した分散された映像データと音声データを、映像出力部と音声出力部から出力できることを特徴とする。
これによれば、本実施形態で説明したように、分散された映像データと音声データがプロジェクタ毎に映像・音声保存部に保存されていれば、コンテンツ分散部を使わなくても、コンテンツデータ（映像データ、音声データ）の再生を行うことができる。
【符号の説明】
【００５５】
１００    アプリケーション部
１１０    ネットワーク設定部（アプリケーション部）
１２０    プロジェクタ設定部（アプリケーション部）
１３０    キャリブレーション部（アプリケーション部）
１４０    音声入力部（アプリケーション部）
１５０    動画像入力部（アプリケーション部）
１６０    音声分散部（アプリケーション部）
１７０    動画像分散部（アプリケーション部）
２００    プロジェクタ部
２０１    第一プロジェクタ
２０２    第二プロジェクタ
２０３    第三プロジェクタ
２１０    ネットワーク設定部（プロジェクタ部）
２２０    プロジェクタ設定部（プロジェクタ部）
２３０    画像投写部（プロジェクタ部）
２４０    音声入力部（プロジェクタ部）
２５０    動画像入力部（プロジェクタ部）
２６０    音声出力部（プロジェクタ部）
２６１ａ  第一スピーカー
２６２ａ  第二スピーカー
２６３ａ  第三スピーカー
２７０    動画像出力部（プロジェクタ部）
３００    ＵＳＢ部
３０１    第一ＵＳＢ
３０２    第二ＵＳＢ
３０３    第三ＵＳＢ
３１０    音声入力部（ＵＳＢ部）
３２０    動画像入力部（ＵＳＢ部）
３３０    音声保存部
３４０    動画像保存部
３５０    音声出力部（ＵＳＢ部）
３６０    動画像出力部（ＵＳＢ部）
５００    マルチプロジェクションシステム
【先行技術文献】
【特許文献】
【００５６】
【特許文献１】特開２０１５−１５４３７０号公報
【図１】
2017229043.tif 000003
【図２】
2017229043.tif 000004
【図３】
2017229043.tif 000005
【図４】
2017229043.tif 000006
【図５】
2017229043.tif 000007
【図６】
2017229043.tif 000008
【図７】
2017229043.tif 000009
【図８】
2017229043.tif 000010
【図９】
2017229043.tif 000011
【図１０】
2017229043.tif 000012